(57)【要約】【課題】  定例的な業務に付随する再印刷操作を簡便化するプリントサーバおよび印刷履歴管理方法および印刷履歴管理プログラムを提供する。【解決手段】    プリントサーバ（１）において、印刷データ生成出力部（１９）は、印刷データを生成する際に、出力先プリンタ（５）およびプリンタ設定情報を印刷履歴（１２１）に、印刷ファイルの文書ＤＢ（３１）における識別情報を印刷文書管理テーブル（１２３）に関連付けて記憶し、再印刷処理が要求されると印刷履歴（１２１）に記憶した印刷情報の一覧を操作端末（４）に表示し、選択された印刷履歴（１２１）で特定される印刷ファイルおよび印刷設定、或いはそれらの一部を変更した内容にて印刷データを作成してプリンタ（５）に出力する。【選択図】  図１
2005173725.tif 000002
【特許請求の範囲】
【請求項１】
文書ファイルに基づいて印刷データを生成してプリンタ出力するプリントサーバにおいて、
前記印刷データを生成するための文書ファイルの識別情報、出力先プリンタの識別情報および印刷設定情報を少なくとも含む印刷情報を前記プリントサーバで印刷データを生成する毎に記憶する印刷履歴記憶手段と、
前記印刷履歴記憶手段に記憶された印刷情報の一覧を表示部に表示する印刷履歴表示手段と、
前記印刷履歴表示手段で表示部に表示された前記印刷情報の一覧の中から所望の印刷情報を選択して、該選択した印刷情報の少なくとも一部の内容を変更した印刷情報に基づき印刷データを生成する印刷データ生成手段と
を具備する
ことを特徴とするプリントサーバ。
【請求項２】
前記印刷情報による印刷文書の出力イメージを仮想的に設けた文書格納場所の識別子に関連付けて記憶管理する印刷文書仮想格納手段と、
前記印刷文書仮想格納手段にて管理される前記文書格納場所の一覧を表示部に表示する文書格納場所一覧表示手段と
をさらに具備し、
前記印刷データ生成手段は、
前記文書格納場所一覧表示手段で選択された文書格納場所の識別子に対応する印刷情報を前記印刷文書仮想格納手段の記憶に基づいて特定する
ことを特徴とする請求項１記載のプリントサーバ。
【請求項３】
文書ファイルに基づいて印刷データを生成してプリンタ出力するプリントサーバにおける印刷履歴管理方法であって、
印刷データを生成するための文書ファイルの識別情報、出力先プリンタの識別情報および印刷設定情報を少なくとも含む印刷情報を前記プリントサーバにおける印刷データの生成毎に印刷履歴記憶手段に記憶し、
前記印刷履歴記憶手段に記憶された印刷情報の一覧を印刷履歴表示手段により表示部に表示し、
前記印刷履歴表示手段で表示部に表示された前記印刷情報の一覧の中から印刷データ生成手段により所望の印刷情報を選択して、該選択した印刷情報の少なくとも一部の内容を変更した印刷情報に基づき印刷データを生成する
ことを特徴とする印刷履歴管理方法。
【請求項４】
文書ファイルに基づいて印刷データを生成してプリンタ出力するプリントサーバにおける印刷履歴管理プログラムであって、
印刷データを生成するための文書ファイルの識別情報、出力先プリンタの識別情報および印刷設定情報を少なくとも含む印刷情報を前記プリントサーバにおける印刷データの生成毎に印刷履歴記憶手段に記憶するステップと、
前記印刷履歴記憶手段に記憶された印刷情報の一覧を印刷履歴表示手段により表示部に表示するステップと、
前記印刷履歴表示手段で表示部に表示された前記印刷情報の一覧の中から印刷データ生成手段により所望の印刷情報を選択して、該選択した印刷情報の少なくとも一部の内容を変更した印刷情報に基づき印刷データを生成するステップと
をコンピュータに実行させることを特徴とする印刷履歴管理プログラム。
【発明の詳細な説明】
【技術分野】
【０００１】
本発明は、印刷処理に関する情報を履歴管理し、印刷履歴を利用して再印刷処理を簡便化するプリントサーバおよび印刷履歴管理方法および印刷履歴管理プログラムに関する。
【背景技術】
【０００２】
従来、再印刷に関する技術として特許文献１記載の「文書ファイル印刷システム」が開示されている。
【０００３】
この特許文献１の発明は、資料を構成する文書ファイルに修正が発生した場合の管理システム側の操作を簡易化することを目的とし、文書ファイル印刷システム内にて管理する内容は文書ファイルの名称、保存場所、選択ページのみを管理情報として保持し、文書ファイルのデータについては取り込まないようにすることで、文書ファイルに修正が発生した場合は文書ファイルの修正のみを行い、文書ファイル印刷システムにて再印刷を行うものである。
【０００４】
また、印刷ジョブデータの管理を行ない、再印刷する機能を備えた印刷システムに関する技術として、特許文献２記載の「印刷システム及びそれに用いる印刷管理方法」が開示されている。
【０００５】
この特許文献２の発明は、画像処理装置から遠隔操作によって再印刷したいデータを指定し、簡単に再印刷を行なうことができる印刷システムを提供することを目的とし、画像処理装置と該画像処理装置から印刷データを受信して印刷を実行する印刷装置とを備えた印刷システムにおいて、印刷済みのジョブデータに関するジョブ情報を保存管理し、上記画像処理装置側で印刷済みのジョブデータを保存し、保存管理されるジョブ情報を、上記画像処理装置側での閲覧を可能とするように読み出し、再印刷するジョブデータおよびその出力先とする印刷装置を選択し、再印刷の対象として選択されたジョブデータが保存されている画像処理装置から、出力先として選択された印刷装置にジョブデータを転送させるものである。
【特許文献１】特開２０００−３５７０７４号公報。
【特許文献２】特開２００２−２９７３３２号公報。
【発明の開示】
【発明が解決しようとする課題】
【０００６】
ところで、上記特許文献１の発明は、印刷したファイルの情報を管理することによって、再印刷時においては、修正した文書ファイルを簡単な操作で特定して処理することができる。
【０００７】
しかし、印刷設定に関する情報の管理方法には言及しておらず、再印刷処理において過去の印刷設定を再利用することができず、印刷設定操作を実施しなければならないといった問題が生じる。
【０００８】
また、上記特許文献２の発明は、ジョブデータの保存を明示的に指示する必要があり、さらに、ジョブデータを保存して管理するため、単純な再印刷処理においては、ジョブデータを再利用することができるが、文書の修正にともなう再印刷処理においては、記憶したジョブデータが再利用できないといった問題が生じる。
【０００９】
これにより、本発明は、定例的な業務にて発生する再印刷処理において、過去の印刷情報を呼び出して単に再利用するのみならず、再印刷時の印刷環境に応じて印刷設定の変更操作等を簡便な操作で行うことが可能なプリントサーバおよび印刷履歴管理方法および印刷履歴管理プログラムを提供することを目的とする。
【課題を解決するための手段】
【００１０】
上記目的を達成するために、請求項１の発明は、文書ファイルに基づいて印刷データを生成してプリンタ出力するプリントサーバにおいて、印刷データを生成するための文書ファイルの識別情報、出力先プリンタの識別情報および印刷設定情報を少なくとも含む印刷情報をプリントサーバで印刷データを生成する毎に記憶する印刷履歴記憶手段と、印刷履歴記憶手段に記憶された印刷情報の一覧を表示部に表示する印刷履歴表示手段と、印刷履歴表示手段で表示部に表示された印刷情報の一覧の中から所望の印刷情報を選択して、選択した印刷情報の少なくとも一部の内容を変更した印刷情報に基づき印刷データを生成する印刷データ生成手段とを具備することを特徴とする。
【００１１】
また、請求項２の発明は、請求項１の発明において、印刷情報による印刷文書の出力イメージを仮想的に設けた文書格納場所の識別子に関連付けて記憶管理する印刷文書仮想格納手段と、印刷文書仮想格納手段にて管理される文書格納場所の一覧を表示部に表示する文書格納場所一覧表示手段とをさらに具備し、印刷データ生成手段は、文書格納場所一覧表示手段で選択された文書格納場所の識別子に対応する印刷情報を印刷文書仮想格納手段の記憶に基づいて特定することを特徴とする。
【００１２】
また、請求項３の発明は、文書ファイルに基づいて印刷データを生成してプリンタ出力するプリントサーバにおける印刷履歴管理方法であって、印刷データを生成するための文書ファイルの識別情報、出力先プリンタの識別情報および印刷設定情報を少なくとも含む印刷情報をプリントサーバにおける印刷データの生成毎に印刷履歴記憶手段に記憶し、
印刷履歴記憶手段に記憶された印刷情報の一覧を印刷履歴表示手段により表示部に表示し、印刷履歴表示手段で表示部に表示された印刷情報の一覧の中から印刷データ生成手段により所望の印刷情報を選択して、選択した印刷情報の少なくとも一部の内容を変更した印刷情報に基づき印刷データを生成することを特徴とする。
【００１３】
また、請求項４の発明は、文書ファイルに基づいて印刷データを生成してプリンタ出力するプリントサーバにおける印刷履歴管理プログラムであって、印刷データを生成するための文書ファイルの識別情報、出力先プリンタの識別情報および印刷設定情報を少なくとも含む印刷情報をプリントサーバにおける印刷データの生成毎に印刷履歴記憶手段に記憶するステップと、印刷履歴記憶手段に記憶された印刷情報の一覧を印刷履歴表示手段により表示部に表示するステップと、印刷履歴表示手段で表示部に表示された印刷情報の一覧の中から印刷データ生成手段により所望の印刷情報を選択して、選択した印刷情報の少なくとも一部の内容を変更した印刷情報に基づき印刷データを生成するステップとをコンピュータに実行させることを特徴とする。
【発明の効果】
【００１４】
本発明のプリントサーバおよび印刷履歴管理方法および印刷履歴管理プログラムを適用することにより、定例的な業務で発生する再印刷処理において、印刷処理毎に蓄積した印刷履歴を呼び出して単に再利用するのみならず、再印刷時の印刷環境に応じたプリンタ設定、印刷対象ファイルの変更等を簡便な操作で行うことが可能となる。
【００１５】
これにより、柔軟性と容易性を兼ね備えた再印刷機能を提供することができる。
【発明を実施するための最良の形態】
【００１６】
以下、本発明のプリントサーバおよび印刷履歴管理方法および印刷履歴管理プログラムを適用して印刷履歴を管理し、印刷履歴に基づいて再印刷を行う場合の実施例について、添付図面を参照しながら詳細に説明する。
【００１７】
図１は、本発明に係るプリントサーバ１を含む印刷履歴管理システムの構成と、各装置の主要な制御要素を示したブロック図である。
【００１８】
図１において、プリントサーバ１は、操作端末４からの印刷要求をネットワーク２を介して検出し、印刷が指示された印刷ファイルをファイルサーバ３の文書ＤＢ３１から読み出して、出力先となるプリンタ５に対する印刷設定に基づいて印刷データを生成してプリンタ５に印刷指示を行う。
【００１９】
さらに、プリントサーバ１は、プリンタ５に指示した印刷設定、印刷ファイルの識別情報等を含む印刷情報を印刷履歴１２１に蓄積して管理する。
【００２０】
また、プリントサーバ１は、印刷履歴１２１から過去の印刷情報を操作端末４に表示し、操作端末４にて選択された印刷情報にてあらためて印刷データを生成してプリンタ５に出力する再印刷機能を具備する。
【００２１】
また、プリントサーバ１は、上記再印刷機能において、選択した印刷情報の変更が可能なユーザインタフェースの出力機能と、変更された印刷情報に基づいて新たに印刷データを生成する再印刷カスタマイズ機能をさらに具備する。
【００２２】
次に、プリントサーバ１の再印刷機能を提供するために必要な制御構成について図１のブロック図を用いて説明する。
【００２３】
プリントサーバ１は、プリントサーバ１全体を制御するプリントサーバ制御部１１に、プリントサーバ記憶部１２、通信制御部１３、プリンタ管理部１４、ユーザ管理部１５、印刷履歴管理部１６、文書データ管理部１７、印刷属性管理部１８、印刷データ生成出力部１９の各制御要素が相互に接続した構成にて制御される。
【００２４】
プリンタ管理部１４は、プリントサーバ１がネットワーク２経由で接続するプリンタ５の名称、ネットワークアドレスをプリンタ管理テーブル１２２に登録して管理し、プリンタ管理テーブル１２２に登録した各プリンタの稼動状態をネットワーク監視する。
【００２５】
ユーザ管理部１５は、操作端末４を操作してプリントサーバ１が提供する各種機能を利用するユーザをユーザ管理テーブル１２５に登録して監視し、プリントサーバ１にアクセスしたユーザの認証処理を行う。
【００２６】
印刷データ生成出力部１９は、ネットワーク２を介して受信した印刷要求を解析し、印刷要求の種別（通常印刷、履歴印刷の別）、印刷対象ファイルの識別情報、出力先プリンタの識別情報、印刷設定情報等を取得し、印刷データを生成して出力先プリンタに出力する。
【００２７】
印刷履歴管理部１６は、印刷データ生成出力部１９における印刷データの生成にともない、印刷データの生成日時、印刷ファイルの識別情報、出力先プリンタ、印刷設定情報を印刷履歴１２１に登録するとともに、印刷履歴１２１に登録された印刷情報の読み出し処理、変更された印刷情報を印刷履歴１２１に登録する処理を行う。
【００２８】
また、印刷履歴管理部１６は、印刷履歴１２１に登録した印刷情報毎の印刷ファイルの識別情報を印刷文書管理テーブル１２３に関連付けて登録し、印刷情報を呼び出した場合は、呼び出した印刷情報に対応する印刷ファイルの識別情報を印刷文書管理テーブル１２３から抽出する。
【００２９】
文書データ管理部１７は、ファイルサーバ３の文書ＤＢ３１にアクセスして印刷ファイルの読み出しを行う。
【００３０】
印刷属性管理部１８は、プリンタ管理テーブル１２２に登録して管理されるプリンタ毎の印刷属性の項目を印刷属性マスタ１２４に登録して管理する。
【００３１】
また、印刷属性管理部１８は、印刷属性マスタ１２４で管理される印刷属性毎の指定可能な印刷属性の内容を各プリンタに問い合わせ、問い合わせ結果を指定可能属性一覧テーブル１２７に登録して管理する。
【００３２】
通信制御部１３は、操作端末４との間においてネットワーク通信プロトコルによるデータ入出力制御、ファイルサーバ３との間においてファイル転送プロトコル、データベースアクセス制御用プロトコルによるファイルデータの送受信制御、プリンタ５との間においてプリントプロトコルによる印刷データの入出力御、ネットワーク監視プロトコルによるネトワーク監視コマンド、応答データの送受信制御を行う。
【００３３】
次に、図１に示したプリントサーバ記憶部１２に記憶される印刷履歴１２１、プリンタ管理テーブル１２２、印刷文書管理テーブル１２３、印刷属性マスタ１２４、指定可能属性一覧テーブル１２７について、登録データの例を図２にそれぞれ示して説明する。
【００３４】
図２（Ａ）は、プリンタ管理テーブル１２２の例を示すテーブルレイアウト図である。  プリンタ管理テーブル１２２は、プリンタを識別する「プリンタＩＤ」、ネットワーク２上におけるプリンタの識別名としての「プリンタ名」、ネットワーク２上の位置を示すＩＰアドレスを登録して管理する「アドレス」、ネットワーク監視機能にて監視されるプリンタ本体の状態（オフライン、印刷中、ウォームアップ等）を示す「状態１」、以後プリンタ状態を詳細に管理する場合のトレイ状態、フィニッシャ状態などの項目を管理する。
【００３５】
図２（Ｂ）は、印刷履歴１２１の例を示すテーブルレイアウト図である。
【００３６】
印刷履歴１２１は、蓄積した各印刷情報をユニーク特定するための識別子を登録データ毎に生成して設定する「履歴ＩＤ」、印刷処理の時刻を示す「タイムスタンプ」、印刷データを出力したプリンタをプリンタ管理テーブル１２２の「プリンタＩＤ」で示す「出力先プリンタ」、印刷操作を行ったユーザをユーザ管理テーブル１２５に登録した識別子にて示す「ユーザＩＤ」、出力先プリンタに指示した印刷設定を印刷属性マスタ１２４にて定義した属性毎に設定して記録する「印刷属性１」、・・・、「印刷属性Ｎ」を管理する。
【００３７】
図２（Ｃ）は、印刷属性マスタ１２４の例を示すテーブルレイアウト図である。
【００３８】
印刷属性マスタ１２４は、プリンタ管理テーブル１２２にて管理される各プリンタにおいて、印刷データ出力時に印刷設定として指定可能な項目を列挙するとともに、各項目を識別子にて定義して管理するテーブルである。
【００３９】
例えば、１番目に定義された「属性種別」としての属性１は両面、片面印刷の指定を管理する属性であることを示す。
【００４０】
図２（Ｄ）は、指定可能属性一覧テーブル１２７の例を示すテーブルレイアウト図である。
【００４１】
指定可能属性一覧テーブル１２７は、印刷属性マスタ１２４にて定義した各属性に対してどのような属性値が指定可能であるかをプリンタ毎に管理する項目である。
【００４２】
例えば、「プリンタＩＤ」がプリンタ＃０１、「属性種別」が属性２の登録データにおいては、用紙サイズが「Ａ４」のサイズのみ指定可能なことを示している。
【００４３】
図２（Ｅ）は、印刷文書管理テーブル１２３の例を示すテーブルレイアウト図である。  印刷文書管理テーブル１２３は、印刷履歴１２１に記録された「履歴ＩＤ」で特定される印刷情報に関連する印刷対象ファイルを記録して管理するテーブルである。
【００４４】
例えば、印刷履歴１２１に記録された「履歴ＩＤ」が履歴＃０３の登録データの場合、文書ＩＤ＃３３のファイルが印刷対象ファイルであることを示す。
【００４５】
なお、図２に示した各テーブルレイアウトに限定されず、印刷履歴として、出力先プリンタの情報、印刷対象ファイルの情報、出力先プリンタに対する印刷設定に関する情報が管理できる構成であれば、これまでに示した各テーブルレイアウトに限定されない。
【００４６】
次に、図１に示したプリントサーバ１における印刷処理を図３のフローチャートおよび図１に示した制御ブロック図を用いて説明する。
【００４７】
図３は、プリントサーバ１が操作端末４からの印刷要求として、通常の印刷処理もしくは再印刷処理の要求を検出した時の処理を示すフローチャートである。
【００４８】
プリントサーバ制御部１１は、ネットワーク２に接続された操作端末４からの印刷要求を通信制御部１３を介して受信すると、印刷データ生成出力部１９に対して、印刷要求データの解析を指示する。
【００４９】
印刷データ生成出力部１９は、履歴印刷であると判断した場合（ステップＳ１０１でＹＥＳ）、印刷履歴管理部１６に対して印刷履歴１２１を表示して再印刷処理を操作するための画面を操作端末４に出力するよう指示する（ステップＳ１０２）。
【００５０】
このとき例えば、図４に示すような印刷履歴情報表示設定画面４０が操作端末４に表示される。
【００５１】
図４において、印刷履歴情報表示設定画面４０には、印刷履歴１２１に記録された各印刷情報の内容を表示し、ユーザに選択させる印刷履歴表示領域４１と、画面を終了するキャンセルボタン４２、選択した印刷情報に基づいて再印刷処理を指示する印刷ボタン４３、選択した印刷情報の内容の少なくとも一部を変更して印刷する再のサブ画面（図示せず）を表示するための印刷情報変更ボタン４４が表示される。
【００５２】
再度図３に戻り、ステップＳ１０２にて表示した印刷履歴情報表示設定画面４０において、印刷履歴から選択された印刷情報を変更せずに印刷ボタン４３が押下された場合（ステップＳ１０３でＹＥＳ）、印刷データ生成出力部１９は、印刷履歴情報表示設定画面４０で選択された印刷情報を印刷履歴１２１から読み出すよう印刷履歴管理部１６に対して指示する（ステップＳ１０４）。
【００５３】
印刷データ生成出力部１９は、印刷履歴管理部１６が読み出した印刷情報の履歴ＩＤに対応する印刷ファイルを印刷文書管理テーブル１２３から特定し（ステップＳ１０５）、特定した印刷ファイルを文書ＤＢ３１から読み出すよう文書データ管理部１７に指示する（ステップＳ１０６）。
【００５４】
印刷データ生成出力部１９は、ステップＳ１０６で読み出した印刷ファイルの内容と、ステップＳ１０４で取得した印刷履歴の印刷情報および、印刷履歴にて特定される印刷対象ファイル基づいて印刷データを作成し、ネットワーク２を介して接続される出力先プリンタに、作成した印刷データを出力するよう通信制御部１３に指示する（ステップＳ１０７）。
【００５５】
再度、ステップＳ１０３に戻り、履歴印刷処理において、選択した印刷情報の内容を変更した再印刷操作が行われた場合（ステップＳ１０３でＮＯ）、印刷履歴管理部１６は、操作端末４に表示した印刷履歴情報表示設定画面４０において、選択された印刷情報と、印刷情報のうち変更された項目のデータを取得して（ステップＳ１０８）、変更された印刷情報を新たに印刷履歴１２１に登録し、印刷対象ファイルを印刷文書管理テーブル１２３に登録する（ステップＳ１０９）。
【００５６】
そして、変更された印刷情報から印刷対象ファイルを文書ＤＢ３１から読み出し（ステップＳ１０６）、ステップＳ１０６で読み出した印刷ファイルのデータと、ステップＳ１０８で取得した出力先プリンタに対する印刷設定とに基づいて印刷データを作成する（ステップＳ１０７）。
【００５７】
再度、ステップＳ１０１の処理に戻り、印刷ファイルの情報、出力先プリンタ、印刷設定情報を新たに指定された通常の印刷処理要求である場合（ステップＳ１０１でＮＯ）、印刷データ生成出力部１９は、印刷要求データから、印刷履歴１２１、印刷文書管理テーブル１２３に記録する印刷ファイルの識別情報、印刷設定情報、出力先プリンタ情報、ユーザ情報、現在時刻、日付などを取得する（ステップＳ１１０）。そして、印刷履歴１２１にステップＳ１１０で取得した情報に基づいて印刷情報を印刷履歴１２１に登録し（ステップＳ１０９）、印刷ファイルを文書ＤＢ３１から読み出し（ステップＳ１０６）、印刷データを作成する（ステップＳ１０７）。
【００５８】
なお、図３に示したステップＳ１０９に示した印刷履歴１２１への印刷情報の登録処理は、過去の印刷情報をそのまま再利用した再印刷処理においても、ユーザ情報、タイムスタンプ等を再印刷時の情報にて印刷情報を更新するか、あるいは、新たな印刷情報として印刷履歴１２１に登録する処理構成にしてもよい。
【００５９】
また、印刷履歴１２１に管理される履歴ＩＤに基づいて印刷文書管理テーブル１２３にて印刷対象ファイルを個別に管理する以外に、複数の印刷対象ファイルを一つの纏まりとして管理する構成として、例えば、一つの仮想的に設けた文書格納場所（以後、キャビネットと称す）の識別情報で間接的に管理する構成にしてもよい。
【００６０】
このとき、ステップＳ１０２で表示した図４の印刷履歴情報表示設定画面４０に替えて図５に示すキャビネット表示、印刷画面５００をユーザインタフェースとして操作端末４に表示する。
【００６１】
そして、印刷履歴を直接選択する代わりにキャビネットを選択する表示選択部としてキャビネット表示部５０１を表示し、選択されたキャビネットに対応する印刷情報としての詳細な内容を印刷履歴詳細表示部５０２に表示する。
【００６２】
さらに、印刷情報の一部を変更して再印刷する場合、印刷設定に関しては、プリンタ設定表示部５０３にて変更したり、キャビネットに格納された印刷ファイルの変更に関しては、印刷文書一覧表示部５１０にて変更し後に印刷ボタン５０９を押下することで再印刷処理をカスタマイズして行うことができる。
【００６３】
また、キャビネット表示部５０１に表示される各キャビネットは、操作ユーザ別に表示・非表示を制御するようにしてもよい。
【００６４】
また、キャビネットによる文書ファイルの特定方法は、実際に印刷対象ファイルが格納されるフォルダに直接リンクする構成、あるいは、論理的に管理される仮想フォルダにて管理する構成など、ファイルの管理形態にあわせて適宜変更して管理してよい。
【００６５】
以上が、本発明に係るプリントサーバおよび印刷履歴管理方法および印刷履歴管理プログラムの実施の形態の説明である。
【産業上の利用可能性】
【００６６】
本発明のプリントサーバおよび印刷履歴管理方法および印刷履歴管理プログラムは、文書管理システムと連携した印刷システムにて利用可能であり、特に、ルーチンワーク的な業務における再印刷処理が頻発し、再印刷処理において、印刷設定を変更するなど再印刷時の状況に合せた操作が必要な印刷システムにおいて有効利用することができる。
【図面の簡単な説明】
【００６７】
【図１】本発明に係るプリントサーバの主要な制御構成を示すブロック図である。
【図２】図１に示した印刷履歴、プリンタ管理テーブル、印刷文書管理テーブル、印刷属性マスタ、指定可能属性一覧テーブルについて、登録データの例をそれぞれ示すテーブルレイアウト図である。
【図３】図１に示したプリントサーバにおける印刷処理を示すフローチャートである。
【図４】印刷履歴情報を画面に呼び出したときの表示例を示す画面イメージである。
【図５】印刷ファイルを格納するキャビネットをイメージして再印刷指定を行う画面の表示例を示す画面イメージである。
【符号の説明】
【００６８】
１    プリントサーバ    
１１    プリントサーバ制御部    
１２    プリントサーバ記憶部    
１２１    印刷履歴    
１２２    プリンタ管理テーブル    
１２３    印刷文書管理テーブル    
１２４    印刷属性マスタ    
１２５    ユーザ管理テーブル    
１２６    文書管理テーブル    
１２７    指定可能属性一覧テーブル
１３    通信制御部    
１４    プリンタ管理部    
１５    ユーザ管理部    
１６    印刷履歴管理部    
１７    文書データ管理部    
１８    印刷属性管理部    
１９    印刷データ生成出力部
２    ネットワーク    
３    ファイルサーバ  
３１    文書ＤＢ    
４    操作端末    
５    プリンタ    
４０    印刷履歴情報表示設定画面
４１    印刷履歴表示領域
４２    キャンセルボタン
４３    印刷ボタン
４４    印刷情報変更ボタン
５００    キャビネット表示、印刷画面
５０１    キャビネット表示部
５０２    印刷履歴詳細表示部
５０３    プリンタ設定表示部
５０４    キャビネット選択部
５０６    印刷文書取消しボタン
５０７    印刷文書選択ボタン
５０８    キャンセルボタン
５０９    印刷ボタン
５１０    印刷文書一覧表示部
５１１    印刷履歴キャビネット化ボタン
【図１】
2005173725.tif 000003
【図２】
2005173725.tif 000004
【図３】
2005173725.tif 000005
【図４】
2005173725.tif 000006
【図５】
2005173725.tif 000007